(57)【要約】 【課題】  本発明はコンドーム本体やコンドームに使用する潤滑剤に特定の香料を含有させ、下垂体刺激によるリラクゼーション効果、内分泌系の活性化効果及び大脳各部刺激による気分の高揚効果等の生理学的効果を持たせると共に、ゴム臭をマスキングすることを目的とする。【解決手段】  好ましい生理学的効果及びゴム臭のマスキング効果を有する香料成分を一種または二種以上併用し、コンドームまたはコンドーム用潤滑剤に添加する。添加量は、ベースとなる潤滑剤や香料の組合せ及びその種類毎に夫々最も好ましい印象を与える濃度になるよう調香する。【特許請求の範囲】
【請求項１】
下垂体刺激によるリラクゼーション効果、内分泌系の活性化効果及び大脳各部刺激による気分の高揚効果からなる生理学的効果を有する香料成分にあってゴム臭のマスキング可能なものの中から一種または二種以上を併用して添加したコンドーム。
【請求項２】
請求項１記載の生理学的効果を有する香料成分にあってゴム臭のマスキング可能なものを添加したコンドーム用水溶性潤滑剤。
【請求項３】
請求項１記載の生理学的効果を有する香料成分にあってゴム臭のマスキング可能なものを添加したコンドーム用油溶性潤滑剤。
【発明の詳細な説明】
【技術分野】
【０００１】
本発明は生理学的効果を有する香料を添加したコンドーム及びコンドーム用潤滑剤に関するものである。
【背景技術】
【０００２】
コンドームの有するゴム臭に対して、従来は強い香りの香料でゴム臭をかき消すかまたは、香料の濃度を下げて比較的弱い香りでマスキングする方法が多く試みられてきた。
【０００３】
従来はフルーツ類や刺激の強いミント系の香りが多く使われ、特に食品用香料はコンドームに使用する香料としては不自然なものであった。
【０００４】
またこのため、本来ゴム臭を消す目的の香料が、コンドームの使用後にも不快な香りとして残留する等の問題点もあった。
【発明の開示】
【発明が解決しようとする課題】
【０００５】
従来はコンドームのゴム臭をマスキングする目的で、ゴム臭を感じないレベルに達するまで強く香り付けする濃度の香料が添加されてきた。また香りの種類はフルーツ類やミント等食品系のものが多かったため、使用中または残留香が気になり不快に感じる事が多かった。
【０００６】
これに対して本発明で使用する生理学的効果を有する香料を添加したコンドームは、室内や寝具、衣服等に残留しても自然な香りであり、コンドームの使用前から使用後も含めトータルで香りの効果を享受し、且つ香気を楽しむ事ができる。これらの香料成分は下垂体刺激によるリラクゼーション効果、内分泌系の活性化効果及び大脳各部刺激による気分の高揚効果等の生理学的効果を持ち、香りの種類は目的に応じて使い分けられる。
【０００７】
本課題はゴム臭のマスキング効果を有し、且つ生理学的効果や心理学的作用を与える香料を添加したコンドームの発明を目的とする。
【課題を解決するための手段】
【０００８】
上記目的のため本発明で使用することが出来る生理学的効果を有する香料は、ネロリ（オレンジ花）、ジャスミン、ローズマリー、ベルガモット、フランキンセンス（乳香・またはオリバヌム）、メリッサ（レモンバーム）、ベンゾイン（安息香）、ヤロウ、フェンネル、ヴェチパー、ジンジャー（ショウガ）、ミルラ（没薬）、スズラン、カーネーション、シトロネラ、ランデル（リンデン）、アジョワン、ユーカリ、バーベナ、チュベローズアブソリュート、シトラス、パルマローザ、シナモン、パイン、キャロットシード（ニンジン種子）、タンジェリン、イランイラン、パーチュリー、ジュニパー（セイヨウネズ）、プチグレイン、サイプレス、ティーツリー（ティトリー）、オレガノ、レモンバーベナ、カユプテ、アンジェリカ、グレープフルーツ、シスタス、クローブ、バジル、レモン、ライム、メース、アンバー、オークモス、バルサム、クミン、マートル、カルダモン、ヒノキ（ヒバ）、ペッパー（ブラックペッパー）、クラリセージ（オニサルビア）、ゼラニウム、コリアンダー、レモングラス、ベイリーフ、カストリウム、アルテミジア、カンファーホワイト（樟脳）、ナツメグ、セージ（薬用サルビア）、ゆず、ミモザ、ディル、マヌカ、ベチバー、エレミ、コジアオイ（シスト）、ニアウリ、マジョラム、バーチ、ローレル、ヘリクリサム、ランタナ、タラゴン、ロベジ、ラバンサラ、イヌラ、キャラウェイ、カマン、ヒソップ、パインニードル、ワームシード、マンダリン、シベット、リトセア、フェンネルスイート、ローズウッド、アブソリュウートローズ、オットーローズ、ジャーマンカモミール、ローマンカモミール、オレンジ、スイートオレンジ、ビターオレンジ、イエロータイム、レッドタイム、ワイルドタイム、ラベンダー・コットン（サントリナ）、ラベンダー、スパイクラベンダー、シダーウッド、シダーツリー、スペアミント、ペパーミント、アルベンシスミント、スターアニス、アニス、アブリアルラバンディン、グロッソラバンディン及びスーパーラバンディンがあり、この香料の群から選んでなる一種、または二種以上を併用したものを添加する。コンドーム１個に対して５０〜１，０００ｍｇの潤滑剤を添加する場合の香料の使用濃度は１〜５００，０００ｐｐｍの範囲が有効であり、１ｐｐｍ以下の添加量では、生理学的効果を有する香気成分としての認識が出来ない被験者が多く、一方５００，０００ｐｐｍ以上の添加量とすると香りが強すぎて不快と感じる被験者が多く、特に１０〜５０，０００ｐｐｍの添加が最も好適である。請求項１〜３について、以下の発明を実施するための最良の形態にて説明をする。
【発明の効果】
【０００９】
本発明で使用する香料は、一種または二種以上を適量に調香してコンドーム及びコンドーム用潤滑剤に添加する事によって、下垂体刺激によるリラクゼーション効果、内分泌系の活性化効果及び大脳各部刺激による気分の高揚効果等の生理学的効果を有するコンドーム及びコンドームに使用する潤滑剤を製造する事が可能になった。この発明で使用する香料が発現する生理学的作用の機序は、生理学的作用を有する香料として例えばプチグレン、ラベンダー、クラリセージ、ベルガモット等の成分に含まれる酢酸リナリル、リナロールは、香りを嗅ぐ行為により体内にセロトニンが分泌されて心身をリラックスさせるものである。即ち気化した香料分子が吸入され、鼻腔粘膜に吸収されて嗅覚神経細胞に伝達され、大脳辺縁系で香りの情報を電気信号に変えて脳に伝達し、視床下部、自律神経、下垂体、免疫系に伝えられ、ホルモンの分泌等の生理学的作用を惹起すると同時に大脳各部にも伝達されて、情動、記憶、行動等の心理学的作用をも惹起する。さらにこれらの香料は、香気によりコンドームのゴム臭をマスキングする効果を得られる。
【発明を実施するための最良の形態】
【００１０】
本発明はコンドーム及びコンドーム用潤滑剤に、生理学的作用を有する香料を添加するものであるが、これら香料成分の効果はアロマテラピー等の目的でも使用可能なものである。本発明で使用する香料の組合せ及び添加する濃度は、各種の濃度の香料を添加したサンプルを作成し、その適否を官能試験によって判定し、その結果を以て調香の基準とする。コンドームに対する香料の添加は巻上げ状の製品に直接添加し、コンドーム用潤滑剤に対しては配合時に添加する。
【実施例１】
【００１１】
コンドーム用水溶性潤滑剤に香料ベルガモット、ジャスミン、ライム、フランキンセンス、カルダモン、ローズウッド、アンジェリカ、イランイラン、コリアンダー、ネロリ、グレープフルーツ、ラベンダー、アニス、シナモン、ヴェチパーを単独で各１，０００ｐｐｍ添加し、（表１）に示した官能試験判定基準により、各潤滑剤の香りの印象を評価した。
【００１２】
コンドーム用水溶性潤滑剤に香料ベルガモット、ジャスミン、ライム、フランキンセンス、カルダモン、ローズウッド、アンジェリカ、イランイラン、コリアンダー、ネロリ、グレープフルーツ、ラベンダー、アニス、シナモン、ヴェチパーを単独で各１，０００ｐｐｍまたは１０，０００ｐｐｍになるよう添加した。調整した潤滑剤をコンドーム１個あたり１５０ｍｇ添加し、（表１）に示した官能試験判定基準により添加した香料の印象を濃度別に比較評価した。
【００１３】
コンドーム用水溶性潤滑剤に香料ベルガモット、ジャスミン、ライム、フランキンセンス、カルダモン、ローズウッド、アンジェリカ、イランイラン、コリアンダー、ネロリ、グレープフルーツ、ラベンダー、アニス、シナモン、ヴェチパーを単独使用し、各１０，０００ｐｐｍになるよう調整した潤滑剤をそれぞれコンドーム１個あたり１５０ｍｇ添加し、一年間保存後評価した。同様にして新たに香料を添加した潤滑剤を作成し、保存期間無しサンプルとして官能試験直前にそれぞれ１５０ｍｇ添加したコンドームを作成し、（表２）による官能試験により香料におけるゴム臭のマスキング効果を評価した。マスキング効果を確認する基準として香料無添加品を作成し、上記の一年保存サンプルと保存期間無しサンプルを比較した。
【００１４】
官能試験により（１）一種の香料評価、（２）香料別添加量の評価、（３）ゴム臭のマスキング効果を評価した。これら官能試験結果の被験者毎のポイント数を合計し、それぞれの合計値を各香料サンプルの総合評価とし、（表３）に示した：最高４０，最低−２０ポイント。
【００１５】
官能試験の結果からカルダモン、シナモン等のスパイス系の香りは、一種の使用では香りの刺激が強すぎるため、本発明では使用することは出来ない。フローラル系の香料は、単一使用すると香りの印象が良い事が判明した。またローズウッド、グレープフルーツ等の評価（２）で１，０００ｐｐｍのポイント数が低く１０，０００ｐｐｍのポイント数が高い香料は、評価（３）では添加直後より一年間保存後のポイント数が下がっており、単一使用では香りの印象が弱い事が判明した。
【００１６】
なお官能試験の評価は、３年以上経験のある専門パネル２０名（男女各１０名）で行った。パネラーにはよく換気された個別ブースを用意し、専用容器に調香サンプルを入れて、パネラーとサンプルの距離を一定に保った。  また、各パネラーによって試験サンプルの順番をランダムにする事によって、サンプルへの評価が片寄らない官能試験を実施した。
【００１７】
実施例１の結果から調香の比較評価を行い、中でも香りの違いを強く感じた被験者１２名（男５女７名）を使用し、実施例２の評価に進んだ。
【実施例２】
【００１８】
種々の香料を組合せ、段階的比率でコンドームに添加したサンプルを作成し、以下の方式で官能試験を行った。
【００１９】
コンドーム用油溶性潤滑剤をベースとし、ローズマリー１，０００ｐｐｍを添加した試料とシダーツリー１，０００ｐｐｍを添加した試料を用意し、両液を１０：１、５：１、１：１、１：５、１：１０の比率で調合したサンプルを、それぞれ１５０ｍｇずつコンドームに添加した。
【００２０】
同様にして、フランキンセンス：イランイラン、フランキンセンス：カルダモン、プチグレイン：ユーカリ、パルマローザ：ベンゾイン、ゼラニウム：アニス、スズラン：アニス、スズラン：カーネーション、カーネーション：ジャスミン、ベルガモ：ジャスミン、ラベンダー：オークモス、ネロリ：ローマンカモミール、シナモン：ヤロウ、シトラス：スイートオレンジの配合比率別コンドームサンプルを作成し、（表４）に示した評価基準による官能試験を行った。
【００２１】
これら官能試験結果の被験者毎のポイント数を集計し、それぞれの合計値を各配合比率サンプルの総合評価とし、（表５）に示した：最高２４，最低−１２ポイント。
【実施例３】
【００２２】
実施例２で得られた配合サンプルの中から評価の高いサンプルについて、濃度を１〜５００，０００ｐｐｍの範囲に設定し、コンドームに添加後の官能試験を行った。実施例２で選抜された１２名と同じ被験者を使用し、実施例２と同様の官能試験・ポイント計算を行い、各配合における最適濃度を検討した。
【００２３】
ここで配合Ａは、（表５）中で評価の高かったプチグレイン５：ユーカリ１の配合比率の香料添加コンドーム用油溶性潤滑剤において香料濃度を１〜５００，０００ｐｐｍの範囲に設定し、コンドームにそれぞれ１５０ｍｇずつ添加したもの。同様に配合Ｂはカーネーション５：ジャスミン１、配合Ｃはスズラン５：アニス１、配合Ｄはネロリ１：ローマンカモミール５、配合Ｅはパルマローザ１：ベンゾイン１の香料添加潤滑剤サンプルを示す。これら配合Ａ〜Ｅについて濃度別に作成したサンプルを（表１）による官能試験を行って評価した。
【００２４】
多くの被験者は１０ｐｐｍ以下では香りの認識をせず、５０，０００ｐｐｍ以上では香りが強すぎると回答した。また香料配合サンプルは香料の種類によって最適濃度が異なる事が判明した（表６）。
【実施例４】
【００２５】
生理学的効果を有する香料と、一般的なフルーツ香料との比較のため、コンドーム用水溶性潤滑剤に香料を添加した実施例４に対して、比較例１〜４のコンドーム用水溶性潤滑剤に香料を添加したサンプルを比較するため、実施例２で選抜された１２名と同じ被験者を使用して（表７）の官能試験を行った。
【００２６】
コンドーム用水溶性潤滑剤に香料ローズウッドを４，０００ｐｐｍ、ラベンダーを４，０００ｐｐｍ、クラリセージを２，０００ｐｐｍになるよう調香し、コンドームに１５０ｍｇを添加した。
【００２７】
比較例１として、コンドーム用水溶性潤滑剤に香料ストロベリーを５，０００ｐｐｍ、比較例２として香料ストロベリーを１０，０００ｐｐｍ、比較例３として香料メロンを５，０００ｐｐｍ、比較例４として香料メロンを１０，０００ｐｐｍ、比較例５として香料ストロベリーと香料メロンをそれぞれ５，０００ｐｐｍになるよう調香し、この潤滑剤をコンドームに１５０ｍｇ添加した。官能試験は実施例４に対する比較例１〜５のサンプルについて二者択一制で回答を得た。
【００２８】
どちらの香りが好ましいか被験者の嗜好を問う官能試験結果は、ほとんどの被験者が実施例４のサンプルを選択した（表８）。
【００２９】
嗅いだ時にどちらの香りがコンドーム使用時の気分を高揚するかを問う官能試験結果は、ほとんどの被験者が実施例４のサンプルを選択した（表９）。
【００３０】
嗅いだ時にどちらの香りがリラクゼーション効果を得られるかを問う官能試験結果は、ほとんどの被験者が実施例４のサンプルを選択した（表１０）。
【００３１】
これらの結果より、実施例４は香料の添加によって多数から好まれ、さらに生理学的効果を得られるサンプルである事を確認した。
【産業上の利用可能性】
【００３２】
本発明によって、適量に調香した香料の添加により多数の被験者から好まれる香りでゴム臭をマスキングする効果を得られ、さらに下垂体刺激によるリラクゼーション効果、内分泌系の活性化効果及び大脳各部刺激による気分の高揚効果等の生理学的効果を有するコンドーム及びコンドームに使用する潤滑剤を得られる。またコンドーム以外のゴム製品（例えば輪ゴム、風船、指サック、手袋、採便バッグ等、特にディスポーザブル製品）に使用することで、各種の生理学的効果を有するゴム製品の製造や、ゴム臭のマスキングに利用可能である。
【表１】
2005160845.tif 000002
【表２】
2005160845.tif 000003
【表３】
2005160845.tif 000004
【表４】
2005160845.tif 000005
【表５】
2005160845.tif 000006
【表６】
2005160845.tif 000007
【表７】
2005160845.tif 000008
【表８】
2005160845.tif 000009
【表９】
2005160845.tif 000010
【表１０】
2005160845.tif 000011